(57)【要約】【課題】壊れにくく、修理がしやすい石材製箱体の扉支持構造を提供する。【解決手段】箱体５の前面を開閉する扉１６は、外側に旋回軸１７が一体に形成されており、旋回軸の下部に径がやや小さくなった部分１７ａが延びている。この小径部１７ａを、底板１１に穿設された孔１９に挿入して、旋回軸１７が底板１１の上に回転自在に立っている。上蓋１５の底面両側に窪み２０を設け、旋回軸１７は、その頭１７ｂが窪み２０に嵌合して、垂直状態に枢支される。窪み２０はすり鉢状に形成されており、旋回軸の頭部１７ｂは、窪みのすり鉢形状に適合するよう丸みを持った形（ドーム形）に形成されている。【選択図】図３
2008144467.tif 000002
【特許請求の範囲】
【請求項１】
箱体前面を開閉する扉の旋回軸を、箱体の底板に穿設された孔に嵌合して、該底板上に回転自在に立設し、箱体の上蓋の下面に、該旋回軸の頭部が係合するすり鉢状の窪みを形成した石材製箱体の扉支持構造。
【請求項２】
該旋回軸の頭部をドーム状に形成した請求項１に記載の石材製箱体の扉支持構造。
【請求項３】
該上蓋が、その後縁側を箱体本体に枢支され、回動しながら開閉するように構成された請求項１または２に記載の石材製箱体の扉支持構造。
【発明の詳細な説明】
【技術分野】
【０００１】
この発明は墓前に置かれ、物入れや香炉などとして用いられる石材製箱体に関し、さらに詳しくはその扉支持構造に関する。
【背景技術】
【０００２】
墓前に置かれる香炉や物入れなど従来の石材製箱体には、上蓋を備えていて、箱体の上面が開くようにしたものがある（特開２００６−１２５０６８公報）。このよう箱体では、扉の旋回軸１７を底板または側壁だけで支えなければならない。そこで、例えば図６に示すものでは、扉１６と側壁１２をカギ形に形成して互い違いに組み合わせ、その間に金属製のピン３０を通して扉を枢支している。しかしこのように扉が１カ所だけで枢支されているので、扉に無理な力がかかると、ピン自体が曲がったり、ピンが通る石材円筒部３１が欠けたりしやすい。しかも、側壁は底板に固着されているので、側壁円筒部がいったん壊れると、修理が難しい。
【発明の開示】
【発明が解決しようとする課題】
【０００３】
この発明は、壊れにくく、しかも、修理がしやすい石材製箱体の扉支持構造を提供する。
【課題を解決するための手段】
【０００４】
この発明の石材製箱体の扉支持構造は、箱体前面を開閉する扉の旋回軸を、箱体の底板に穿設された穴の中に嵌合して底板上に回転自在に立設する。箱体の上蓋には、その下面に、旋回軸の頭部が係合するすり鉢状の窪みを形成する（請求項１）。
【０００５】
このように、扉の旋回軸の下部を箱体の底板に穿設された穴の中に嵌合して旋回軸を底板上に回転自在に立設したので、上蓋を開けても、扉が倒れることがない。上蓋を閉じた状態では、旋回軸の頭部が上蓋下面にある窪みに係合し、旋回軸を上下２点でしっかり支持することができる。
【０００６】
上蓋の窪みはすり鉢状に形成したので、旋回軸が傾いてその頭部と窪みの芯が多少ずれている場合でも、上蓋を閉じれば、旋回軸頭部はすり鉢面に案内されて正しい位置に収まる。
【０００７】
なお、旋回軸の頭部はドーム型、すなわち丸み持った形にすることが好ましく、こうすれば、扉が旋回するとき、旋回軸頭部がすり鉢の窪みの中でスムースに回動できる（請求項２）。
【０００８】
上蓋は後縁側を箱本体に枢支して、上向きに回動して箱体上面を開くようにすることができる（請求項３）。
【発明を実施するための最良の形態】
【０００９】
この発明の実施例を図面に基づいて説明する。図１は墓の側面図であり、図２は箱体の斜視図、図３は箱体の分解斜視図である。
【００１０】
図１に示すように墓は、納骨堂１の上部開口が墓石２と拝石３で塞がれており、拝石の上にこの発明の箱体５が置かれる。この箱体は石材製で、茶碗などの小物を入れて置くのに用いられる。墓石２の中段に置かれているのは石材製の香炉６である。
【００１１】
箱体５は、図２、図３に示すように、底板１１の上に左右の側壁１２と後壁１３がコの字型に接着剤で固定されている。上蓋１５はその後辺を後壁１３に枢支する。すなわち、上蓋１５の後辺に沿って円形断面部１５ａを形成し、後壁１３の上部には、その円形断面部に適合する半円断面の溝１３ａを形成する（図４も参照）。左右の側壁１２にも、該半円形溝１３ａと連続するノッチ１２ａを設ける。上蓋１５は、その円形断面部１５ａがこれら溝１３ａとノッチ１２ａの中にはめ込まれ、溝１３ａを中心としてその周りに回動して箱体５の上面を開閉することができる。
【００１２】
箱体５の前面の開閉は観音開きの扉１６で行う。各扉は外側に旋回軸１７が一体に形成されており、旋回軸の下部に径がやや小さくなった部分１７ａが延びている（図５）。この小径部１７ａを、底板１１に穿設された孔１９に挿入して、旋回軸１７が底板１１の上に回転自在に立っており、扉はこの旋回軸を中心に旋回することができる。
【００１３】
旋回軸１７はこのように片持ち支持なので、多少グラグラし、無理な力がかかると壊れやすい。そこで、旋回軸の頭を、閉じた状態の上蓋１５に支持させるようにする。このため、上蓋１５の底面両側に窪み２０を設け、旋回軸１７は、その頭１７ｂが窪み２０に嵌合して、垂直状態に枢支される。窪み２０はすり鉢状に形成されており、旋回軸の頭部１７ｂは、窪みのすり鉢形状に適合するよう丸みを持った形（ドーム形）に形成されている。窪みがすり鉢状なので、上蓋を閉じるとき、旋回軸と窪みとの芯が多少ずれていても、旋回軸の頭はすり鉢形状の窪みの中心にうまく嵌り込むことができる。また、旋回軸の頭部はドーム型なので、扉が旋回するとき、旋回軸頭部がすり鉢の窪みの中でスムースに回動できる。
【００１４】
このものでは、旋回軸１７が折れたような場合には、扉だけ作り直すだけで安価に修理できる特徴がある。
【００１５】
図３において、符号２１は扉止めの石板であり、箱体の内部両側に置かれており、扉は閉じた状態でちょうどこの板に当接し、それ以上箱体の中に入り込まない。
【００１６】
この箱体は、底板１１の中央に納骨用の穴１１ａが開いており、この穴は普段は小蓋２２で塞がれている。この箱体が載っている拝石３にも穴３ａが開いており、この穴を覆う格好で箱体５が置かれている。納骨の際は、図３に示すように、箱体の上蓋１５および扉１６を開き、さらに小蓋２２を手前に引き出す。こうすると底板の納骨穴１１ａの下に、拝石３の穴３ａが現れる。この状態で骨壷を穴３ａから納骨堂１の内部に収めることができる。従来の墓では、納骨時に拝石３自体を外していたが、拝石が重いため多大の労力を要した。このようにこの箱体では小蓋を開けるだけで簡単に納骨ができる。
【００１７】
前記の香炉６であるが、これは、内部で蝋燭を灯したり、線香をたくためのもので、納骨用の穴がないだけで、他の構造はこの箱体とほぼ同一である。
【図面の簡単な説明】
【００１８】
【図１】墓の側面図である。
【図２】箱体の斜視図である。
【図３】箱体を開いた状態の斜視図である。
【図４】箱体の中央横断面図である。
【図５】扉の旋回軸の中心を含む箱体の横断面図である。
【図６】従来の箱体の扉支持構造を示す斜視図である。
【符号の説明】
【００１９】
３    拝石
５    箱体
１１  底板
１５  上蓋
１６  扉
１７  旋回軸
１９  孔
２０  窪み
【図１】
2008144467.tif 000003
【図２】
2008144467.tif 000004
【図３】
2008144467.tif 000005
【図４】
2008144467.tif 000006
【図５】
2008144467.tif 000007
【図６】
2008144467.tif 000008